(57)【要約】【課題】無線ＬＡＮ設定の際にエラーが生じてもエラーの内容に応じて戻るところを変更できるウィザード形式の設定方法を持つ無線ＬＡＮ設定システムを提供する。【解決手段】コンピュータではウイザード形式のセットアップソフトウェアが動作し、コンピュータとプリンタが有線インターフェースにて通信を行い、無線ＬＡＮのセットアップを開始する。セットアップ途中でエラーが発生した場合、コンピュータ内部の情報やアクセスポイントの検索情報を元にウィザード形式の戻り画面を変更し、エラーに応じてやり直す手順を変更する。【選択図】  図１
2014041423.tif 000002
【特許請求の範囲】
【請求項１】
無線ＬＡＮアクセスポイントを介して印刷装置と通信する無線インターフェースと、印刷装置と通信する所定の有線インターフェースとの双方を備える印刷装置と通信可能な情報処理装置であって、
ウィザード形式にてステップごとに印刷装置の無線の設定を行う手段をもち、
前記有線インターフェース経由で前記印刷装置が接続可能な無線ＬＡＮアクセスポイントに係わる第１のアクセスポイント情報を取得する取得手段と、
前記情報処理装置が有する情報である前記無線ＬＡＮアクセスポイントに係わる第２のアクセスポイント情報に対応する無線ＬＡＮアクセスポイントの情報を取得する取得手段と、をもち、
設定途中のステップでエラーが発生した場合に印刷装置の持つ第１のアクセスポイント情報と、前記情報処理装置が有する第２のアクセスポイント情報からやり直すステップ位置を変更して戻し、設定をもう一度行わせる手段を備えることを特徴とする情報処理装置。
【発明の詳細な説明】
【技術分野】
【０００１】
本発明は、画像形成装置における無線ＬＡＮの設定方法に関するものである。
【背景技術】
【０００２】
無線機器の低価格化や高速化により一般家庭での無線ＬＡＮが普及してきている。
無線ＬＡＮを使用する場合には、ＳＳＩＤ（Ｓｅｒｖｉｃｅ  Ｓｅｔ  Ｉｄｅｎｔｉｆｉｅｒ）や、暗号化に関する情報（ＷＥＰ（Ｗｉｒｅｄ  Ｅｑｕｉｖａｌｅｎｔ  Ｋｅｙ）、パスワード）などの設定情報を、アクセスポイントやプリンターに設定する必要がある。これらの設定は煩雑であるため設定を簡素に行うための規格が業界団体であるＷｉ−Ｆｉ  Ａｌｌｉａｎｃｅにより提案されている。例えば、この規格を用いた設定方法には、ＷＰＳ（Ｗｉ−Ｆｉ  Ｐｒｏｔｅｃｔｅｄ  Ｓｅｔｕｐ）という方法があり、その一方式として、機器を識別するための識別情報（ＰＩＮ（Ｐｅｒｓｏｎａｌ  Ｉｄｅｎｔｉｆｉｃａｔｉｏｎ  Ｎｕｍｂｅｒ）コードと呼ばれる情報）を用いる方式と、ボタンを押すことで設定が完了するボタン方式がある。
【０００３】
非特許文献１に、上記のＰＩＮコード方式によって無線ＬＡＮの設定をする技術について記載されている。この方式やアクセスポイント各社が独自の方法を用い、より簡潔に設定を行う方法が提案されている。
【先行技術文献】
【非特許文献】
【０００４】
【非特許文献１】Ｈｏｗ  Ｔｏ  Ｕｓｅ  Ｗｉｎｄｏｗｓ  Ｃｏｎｎｅｃｔ  Ｎｏｗ  Ｔｏ  Ｅｎａｂｌｅ  Ｓｉｍｐｌｅ  Ｓｅｔｕｐ  Ｆｏｒ  Ｃｏｎｓｕｍｅｒ  Ｗｉ−Ｆｉ  Ｎｅｔｗｏｒｋｓ  ［平成２３年１２月２０日検索］インターネット＜ＵＲＬ：ｈｔｔｐ：／／ｄｏｗｎｌｏａｄ．ｍｉｃｒｏｓｏｆｔ．ｃｏｍ／ｄｏｗｎｌｏａｄ／５／ｂ／９／５ｂ９７０１７ｂ−ｅ２８ａ−４ｂａｅ−ｂａ４８−１７４ｃｆ４７ｄ２３ｃｄ／ＣＯＮ０４４＿ＷＨ０６．ｐｐｔ＞
【発明の概要】
【発明が解決しようとする課題】
【０００５】
前述の方法を用いたとするとＰＩＮコードを打ち込むだけなので、すべてのパラメータを打ち込むよりは手間がかからない。しかし複数桁の数字なので入力ミスは起こりうる。また前述の方式以外にもアクセスポイントメーカーごとに独自の方式がある。ユーザーはどのメーカーがどの方式に対応しているか、アクセスポイントの操作するボタンの位置や名称など、すべてに精通しているわけではないのでミスを起こしてしまう要素は多い。
【課題を解決するための手段】
【０００６】
本発明は、上記の課題を解決するためになされたもので、
無線ＬＡＮアクセスポイントを介して印刷装置と通信する無線インタフェースと、印刷装置と通信する所定の有線インタフェースとの双方を備える印刷装置と通信可能な情報処理装置であって、
ウィザード形式にてステップごとに印刷装置の無線の設定を行う手段（図２ＡからＧ）をもち、
前記有線インタフェース経由で前記印刷装置が接続可能な無線ＬＡＮアクセスポイントに係わる第１のアクセスポイント情報を取得する取得手段と、
前記情報処理装置が有する情報である前記無線ＬＡＮアクセスポイントに係わる第２のアクセスポイント情報に対応する無線ＬＡＮアクセスポイントの情報を取得する取得手段と、
をもち、設定途中のステップでエラーが発生した場合に印刷装置の持つ第１のアクセスポイント情報と、前記情報処理装置が有する第２のアクセスポイント情報からやり直すステップ位置を変更して戻し、設定をもう一度行わせる手段を備えることを特徴とする。
【発明の効果】
【０００７】
以上説明したように、無線ＬＡＮに精通していないユーザーでも容易に設定を行うことができるシステムを提供することができた。
【図面の簡単な説明】
【０００８】
【図１】システム構成を示す図である。
【図２（Ａ）】操作画面を示す図である（その１）。
【図２（Ｂ）】操作画面を示す図である（その２）。
【図２（Ｃ）】操作画面を示す図である（その３）。
【図２（Ｄ）】操作画面を示す図である（その４）。
【図２（Ｅ）】操作画面を示す図である（その５）。
【図２（Ｆ）】操作画面を示す図である（その６）。
【図２（Ｇ）】操作画面を示す図である（その７）。
【図２（Ｈ）】操作画面を示す図である（その８）。
【図３】動作を表すフローチャートである（その１）。
【図４】動作を表すフローチャートである（その２）。
【図５】動作を表すフローチャートである（その３）。
【発明を実施するための形態】
【０００９】
以下、本発明を実施するための最良の形態について図面を用いて説明する。
【００１０】
図１はシステム全体を表す図で１０１はアクセスポイントで、無線ＬＡＮ対応機器同士の通信の仲介を果たす。コンピュータ１０３は無線ＬＡＮユニットを備え、かつＵＳＢインターフェースを持ち、無線と有線での通信が可能である。プリンタ１０４も無線ＬＡＮおよびＵＳＢインターフェースを持ち、コンピュータ等と有線および無線での通信が可能となっている。アクセスポイント１０１と１０２は有線ＬＡＮで接続されている。設定が正しく行われていれば、プリンタ１０５はアクセスポイント１０２を介してコンピュータ１０３と無線での通信を行うことが可能である。プリンタ１０４とプリンタ１０５も通信が可能である。
【００１１】
コンピュータ１０３はアクセスポイント１０１と無線で通信しているためアクセスポイント１０１に関する無線接続のための情報を持っているが、アクセスポイント１０２に関する情報はもっていない。ただしアクセスポイントはＩＥＥＥ８０２．１１に定められたビーコン信号を発信しているのでＳＳＩＤ（Ｓｅｒｖｉｃｅ  Ｓｅｔ  Ｉｄｅｎｔｉｆｉｒｅ）は知ることができるためアクセスポイント１０２のＳＳＩＤは分かっている。アクセスポイント１０１とアクセスポイント１０２はどちらもボタン方式による設定方法は持っているが方式が異なっている。
【００１２】
次に図２および図３、４を用いて本実施例のソフトウェアの動作を説明する。
【００１３】
ここではプリンタ１０４の無線ＬＡＮのセットアップを行うものとする。
【００１４】
図３のフローチャートにおいて、ステップ３０１にてソフトが起動される。コンピュータ１０３のディスプレイにウインドウが表示される。（図示せず）ステップ１０２、画面指示にてユーザーはプリンタとＵＳＢケーブルを接続すると、コンピュータ１０３とプリンタ１０４はお互いに通信を開始し、コンピュータ１０３はプリンタ１０４のセットアップ動作の指示を行う。ステップ３０３、画面には図２（Ａ）に示すごとく無線ＬＡＮの設定か有線ＬＡＮの設定かを選択する状態となる。ユーザーの無線の選択により動作モードは無線ＬＡＮのセットアップモードとなる。ステップ３０４、図２（Ｂ）の画面が表示され、ＷＰＳでのボタンを押すモードによるセットアップか、ＰＩＮコードを手動で入力するモードかの選択画面となる。ここではボタン方式が選択されたことについての説明をするのでボタン方式が選択されたものとする。するとコンピュータ１０３からプリンタ１０４にボタン方式で動作するよう指示が送られる。ステップ３０５、図２（Ｃ）に示すごとくアクセスポイントのメーカーあるいは設定方法の選択画面となる。アクセスポイントにはＷＰＳのほかにメーカーごとに独自に定めた方式があり、ＷＰＳ同様ボタン方式が主流である。メーカーごとにセットアップ方法に関する通信データが異なっているため互換性はないが、いろいろな方式に対応することでユーザーの利便性を向上させている。選択された方式に応じてプリンタ１０４に各方式での動作指示を出す。ここではＷＰＳ方式が選択されたとする。ステップ３０６、図２（Ｄ）に示すごとくユーザーへ、画面のボタンおよびアクセスポイントのボタンを押下する指示を促す画面となる。まずアクセスポイント１０１にあるＷＰＳボタンを押下することでアクセスポイントはＷＰＳにて定められたセットアップモードへ移行する。次に画面のボタンの押下によりプリンタ１０３がセットアップモードに移行する。アクセスポイント１０１とプリンタ１０４はＷＰＳの規格に基づいた通信を行い無線での設定を完了させ、プリンタ１０４は無線での通信を行うことができるようになる。ステップ３０７、図２（Ｅ）に示すごとく無線ＬＡＮのセットアップが正常に終了したことをユーザーに告げ、つぎに他の設定を行う画面に移行していくが本実施例とは関連がないので省略する。
【００１５】
次にＰＩＮコードを手動で設定する場合について説明する。図２（Ｂ）にてＰＩＮコード方式が選択されるとこの動作モードへと移行する。ステップ３０８、図２（Ｇ）に示すごとくプリンタ１０４がアクセスポイントを検索するモードとなり、プリンタ１０４にて検索されたアクセスポイント情報が通信にてコンピュータ１０３へ伝わり一覧表示を行う。ここではアクセスポイント１０１と１０２が検索され表示されている。ステップ３０９、ここでアクセスポイント１０１が選択されるとステップ３１０へ進む。ステップ３１０、図２（Ｈ）に示すごとく、ここではＰＩＮコードの入力を行う。ＰＩＮコードを使う方式にも２種類あり、親機（アクセスポイント側）のコードを使う場合と、子機（プリンタ側）で発行する場合がある。子機で発行したコードは親機に入力する必要があるため、ここでは親機のコードを使うものとする。図２（Ｈ）に示すごとくＰＩＮコードを入力するテキストボックスが表示されている。ここで親機側に設定されているＰＩＮコードを入力するとプリンタ１０４のコードがセットされる。次へボタンが押下されるとステップ３１１へ進む。ステップ３１１、ここで画面ではスクロールバーが表示されている（図示せず）。アクセスポイント１０１とプリンタ１０３は所定の通信を行い、無線の接続を完了するとスクロールバーの表示をやめてステップ３１２へ進む。接続に成功すれば図２（Ｄ）のごとく成功の表示を行い動作を終了する。
【００１６】
次に各画面遷移の過程でエラーが発生した場合について説明する。
【００１７】
図３においてステップ３０６まで進んでいるものとする。ここではボタン方式が選択され、アクセスポイントのボタンを押下するところである（画面は図２（Ｃ））。ユーザーが次へボタンを押下すると、アクセスポイント１０１とプリンタ１０３は所定の通信を行う。
【００１８】
ここでエラーになり戻るボタンを押下した場合について説明する。エラーになるとステップ３０８へ進み、エラーの判定をおこなう。
【００１９】
エラーの理由を特定するためにプリンタ１０３はアクセスポイントを検索する。またコンピュータ１０３では図２（ｃ）の画面を表示するとともに次へボタンが押下されるまでの時間を測定しておく。またこのソフトウェアを起動してからこの画面を何回表示したかもカウントしておく。
【００２０】
アクセスポイントが検索により存在が確認できていた場合、画面遷移に時間がかかっていたとするとタイムアウトによりエラーとなった可能性が高いのでもう一度やり直してもらうため前の画面（図２（Ｄ））に戻す。アクセスポイントのメーカーが間違っていた場合、即ち図２（Ｃ）にてアクセスポイント１０１ではなく１０２のメーカーを選択しながらボタンは１０１のものを押下した場合などは、コンピュータ１０３内の情報からメーカーが異なっていることが判定できるため図２（Ｃ）の画面へ戻し、方式（メーカー）を変更してもらう。
【００２１】
アクセスポイントが検出できなかった場合、コンピュータ１０３にアクセスポイントの上方がある場合は図２（Ｃ）に戻しもう一度ボタンを押させるが、アクセスポイントのスイッチを見直すよう警告メッセージを出す（図示せず）。コンピュータ１０３にアクセスポイントに関する情報がない場合は、そもそもアクセスポイントがないことになるので有線、無線の選択である図２（Ａ）まで戻す。
【００２２】
ボタン方式で何度も失敗している場合やその他の場合は図２（Ｂ）に戻しＰＩＮコード方式を行わせる。
【００２３】
図２（Ｃ）にてアクセスポイント１０２に当たるものを選択し、かつボタンもアクセスポイント１０２を押下した場合は正常にアクセスポイント１０２に接続される。しかしコンピュータ１０３とは異なるアクセスポイントに接続されることになるため、この場合は警告を表示することにとどめておき、エラーとはしない。
【００２４】
次にＰＩＮコード方式でエラーとなった場合について説明する。
【００２５】
入力したＰＩＮコードとコンピュータ１０３内部の情報とが異なっている場合、ＰＩＮコードを入力し直させるため図２（Ｇ）へ戻す。メーカーが異なっている場合は図２（Ｃ）へ戻し正しいものを選択し直してもらう。コンピュータ内にアクセスポイントの情報がない場合は（検索によりアクセスポイントがあることは分かっている）図２（Ｃ）へ戻し、アクセスポイントの選択をやり直してもらう。
【００２６】
その他の場合は図２（Ａ）まで戻しやり直してもらい、設定が正常に終了するまで繰り返す。
【００２７】
次にプリンタ１０４の動作について図４のフローチャートをもとに説明する。
【００２８】
ステップ４０２、プリンタ上の図示しない操作部上の設定開始ボタンにより、セットアップモードになり、本実施例の動作が開始される。
【００２９】
ステップ４０３、ケーブルが接続されるのを待つ。
【００３０】
接続されるとステップ４０４へ進む。ステップ４０４、コンピュータ１０３と通信が可能となるので、コンピュータ１０３からの動作指示待ちとなる。図３のステップ３０６にてＷＰＳボタンが押された場合はステップ４０５へ進む。ＷＰＳの規格にのっとった通信初期セットアップの通信を行いアクセスポイントに接続する。正常でもエラーでもステップ４０６にてコンピュータ１０３へ結果を返答し、ステップ４０４へ戻り、再び指示待ちとなる。検索が指示された場合はステップ４０７へ進み、アクセスポイントの検索を行い、ステップ４０８にて検索結果をコンピュータ１０３へ返答し、ステップ４０４へ再び指示待ちとなる。図２のステップ３１１コンピュータ１０３からＰＩＮコードが入力された場合はステップ４０９へ進みＰＩＮコードを受信し、そのＰＩＮコードを用いてアクセスポイント１０１と無線のセットアップを行う。ステップ４１０にて検索結果をコンピュータ１０３へ返答しステップ４０４へ戻る。
【００３１】
動作終了の指示により動作を終了する。
以上で説明を終了する。
【符号の説明】
【００３２】
１０１  アクセスポイント
１０２  アクセスポイント
１０３  コンピュータ
１０４  プリンタ
【図１】
2014041423.tif 000003
【図２（Ａ）】
2014041423.tif 000004
【図２（Ｂ）】
2014041423.tif 000005
【図２（Ｃ）】
2014041423.tif 000006
【図２（Ｄ）】
2014041423.tif 000007
【図２（Ｅ）】
2014041423.tif 000008
【図２（Ｆ）】
2014041423.tif 000009
【図２（Ｇ）】
2014041423.tif 000010
【図２（Ｈ）】
2014041423.tif 000011
【図３】
2014041423.tif 000012
【図４】
2014041423.tif 000013
【図５】
2014041423.tif 000014